(57)【要約】【課題】作業者が工具等を使用しないでトーションバネの組み付けを行うことができる撮像装置を提供する。【解決手段】撮像装置は、回転軸１２０を中心に回動動作して開閉を行う電池蓋ユニット１２６を有する。また、撮像装置は、電池蓋ユニット１２６をメインシャーシ１２３に対して開く方向へ付勢するトーションバネ１１７と、メインシャーシ１２６に固定された三脚ねじ穴１２５とを有する。三脚ねじ穴１２５は、電池蓋ユニット１２６に隣接する位置に設けられるとともに、電池蓋ユニット１２６に隣接する側に溝形状部１２５ｂが形成される。溝形状部１２５ｂは、トーションバネ１１７の一方の端部が電池蓋ユニット１２６に固定されている状態で電池蓋ユニット１２６をメインシャーシ１２３に取り付ける際に、トーションバネ１１７の他方の端部をガイドする。【選択図】図１５
2010044332.tif 000002
【特許請求の範囲】
【請求項１】
回転軸を中心に回動動作して開閉を行う電池蓋ユニットを有する撮像装置において、
前記電池蓋ユニットをシャーシ部材に対して開く方向へ付勢するトーションバネと、
前記シャーシ部材に固定された雌ねじ部材とを有し、
前記雌ねじ部材は、前記電池蓋ユニットに隣接する位置に設けられるとともに、前記電池蓋ユニットに隣接する側に溝形状部が形成され、
前記溝形状部は、前記トーションバネの一方の端部が前記電池蓋ユニットに固定されている状態で前記電池蓋ユニットを前記シャーシ部材に取り付ける際に、前記トーションバネの他方の端部をガイドすることを特徴とする撮像装置。
【請求項２】
前記雌ねじ部材には、前記トーションバネの前記他方の端部の移動をガイドする斜面部が形成されることを特徴とする請求項１記載の撮像装置。
【請求項３】
前記雌ねじ部材と前記トーションバネは導電性を有し、前記電池蓋ユニットと前記メインシャーシを電気的に接続することを特徴とする請求項１または請求項２記載の撮像装置。
【発明の詳細な説明】
【技術分野】
【０００１】
本発明は、デジタルカメラ等の撮像装置に関し、特に、サブユニットに仮保持されたトーションバネを本体に組み付ける構成に特徴のある撮像装置に関する。
【背景技術】
【０００２】
デジタルカメラの電池蓋には、回転軸を中心に蓋を回動させて開閉動作を行う機構がよく用いられており、その際に、電池蓋を開き方向へ付勢するための手段としてトーションバネが使用されることがある。
【０００３】
トーションバネの組み付けに関して、特許文献１に以下の構成が開示されている。
【０００４】
即ち、特許文献１には、バネのコイル部内径（内周）部を回転軸の外形（外周）で保持し、バネの一方の腕（固定部）を係止用のリブや穴に引っ掛けて仮保持しながら、もう一方の腕（作動部）を本体の係止部に引っ掛ける構成が開示されている。
【特許文献１】特開２０００−９２０２号公報
【発明の開示】
【発明が解決しようとする課題】
【０００５】
しかしながら、上記特許文献１に記載の構成では、組み立ての作業者は、ピンセット等の工具を使用して、バネの仮保持されない側の腕をバネ圧に逆らいながら撓ませて本体の係止部へ引っ掛ける作業が必要となり、作業性に問題があった。
【０００６】
本発明の目的は、作業者が工具等を使用しないでトーションバネの組み付けを行うことができる撮像装置を提供することにある。
【課題を解決するための手段】
【０００７】
上記目的を達成するために、本発明の撮像装置は、回転軸を中心に回動動作して開閉を行う電池蓋ユニットを有する撮像装置において、前記電池蓋ユニットをシャーシ部材に対して開く方向へ付勢するトーションバネと、前記シャーシ部材に固定された雌ねじ部材とを有し、前記雌ねじ部材は、前記電池蓋ユニットに隣接する位置に設けられるとともに、前記電池蓋ユニットに隣接する側に溝形状部が形成され、前記溝形状部は、前記トーションバネの一方の端部が前記電池蓋ユニットに固定されている状態で前記電池蓋ユニットを前記シャーシ部材に取り付ける際に、前記トーションバネの他方の端部をガイドすることを特徴とする。
【発明の効果】
【０００８】
本発明の撮像装置によれば、作業者が工具等を使用しないでトーションバネの組み付けを行うことができる。
【発明を実施するための最良の形態】
【０００９】
以下、本発明を図面を参照しながら詳細に説明する。
【００１０】
図１は、本発明の実施の形態に係る撮像装置としてのデジタルカメラの要部の斜視図である。
【００１１】
図１において、デジタルカメラは、メインシャーシ１２３（シャーシ部材）、カメラ本体を三脚等に固定する際に使用する、導電性を有する三脚ねじ穴１２５（雌ねじ部材）を備える。三脚ねじ穴１２５は、メインシャーシ１２３に対して２本の締結ビス１２４で固定されている。
【００１２】
トーションバネ１１７は、電池蓋１１４と複数の内部部品で構成される電池蓋ユニット１２６に対して一方の腕を押圧し、電池蓋ユニット１２６に隣接する三脚ねじ穴１２５に対してもう一方の腕を押圧しながら接触している。
【００１３】
図２は、図１のデジタルカメラのブロック図である。
【００１４】
図２において、デジタルカメラ１００は、絞り機能を備えるシャッター１、撮影レンズ３、光学像を電気信号に変換するＣＣＤやＣＭＯＳ素子等で構成される撮像部２２を備える。
【００１５】
アナログ信号をデジタル信号に変換するＡ／Ｄ変換器２３は、撮像部２２から出力されるアナログ信号をデジタル信号に変換する場合に用いられる。また、Ａ／Ｄ変換器２３は、音声制御部１１から出力されるアナログ信号をデジタル信号に変換する場合にも用いられる。バリア３は、デジタルカメラ１００の、撮影レンズ３と撮像部２２を覆うことにより、撮像部の汚れや破損を防止する。
【００１６】
タイミング発生部１２は、撮像部２２、音声制御部１１、Ａ／Ｄ変換器２３、Ｄ／Ａ変換器１３にクロック信号や制御信号を供給するものであり、メモリ制御部１５及びシステム制御部５０により制御される。
【００１７】
画像処理部２４は、Ａ／Ｄ変換器２３からのデータ、または、メモリ制御部１５からのデータに対し所定の画素補間、縮小といったリサイズ処理や色変換処理を行う。画像処理部２４では、また、撮像した画像データを用いて所定の演算処理を行い、得られた演算結果に基づいてシステム制御部５０が露光制御、測距制御を行う。
【００１８】
これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理回路２４では、更に、撮像した画像データを用いて所定の演算処理を行い、得られた演算結果に基づいてＴＴＬ方式のＡＷＢ（オートホワイトバランス）処理も行っている。
【００１９】
Ａ／Ｄ変換器２３からの出力データは、画像処理部２４及びメモリ制御部１５を介して、或いは、直接メモリ制御部１５を介して、メモリ３２に書き込まれる。
【００２０】
メモリ３２は、マイク１０において録音された音声データ、撮影した静止画像や動画像及び画像ファイルを構成する場合の、ファイルヘッダを格納するためのメモリである。このメモリ３２は、所定枚数の静止画像や所定時間の動画像及び音声を格納するのに十分な記憶容量を備えている。
【００２１】
適応離散コサイン変換（ＡＤＣＴ）等により画像データを圧縮伸張する圧縮／伸張部１６は、シャッター１をトリガにしてメモリ３２に格納された撮影画像を読み込んで圧縮処理を行い、処理を終えたデータをメモリ３２に書き込む。
【００２２】
また、圧縮／伸張部１６は、記録部１９等からメモリ３２に読み込まれた圧縮画像を読み込んで伸張処理を行い、処理を終えたデータをメモリ３２に書き込む。圧縮／伸張部１６によりメモリ３２に書き込まれた画像データは、システム制御部５０のファイル部においてファイル化され、インターフェース（Ｉ／Ｆ）１８を介して記録媒体２００に記録される。
【００２３】
また、メモリ３２は、画像表示用のメモリを兼ねており、メモリ３２に書き込まれた表示用の画像データはＤ／Ａ変換器１３を介して画像表示部２８により表示される。
【００２４】
マイク１０から出力された音声信号は、アンプ等で構成される音声制御部１１を介してＡ／Ｄ変換部２３においてデジタル信号に変換された後、メモリ制御部１５によってメモリ３２に格納される。
【００２５】
一方、記録媒体２００に記録されている音声データは、メモリ３２に読み込まれた後、Ｄ／Ａ変換器１３を介し音声制御部１１において制御され、スピーカ１４において発音される。
【００２６】
不揮発性メモリ５６は、電気的に消去・記録可能なメモリであり、例えば、ＥＥＰＲＯＭ等が用いられ、システム制御部５０の動作用の定数、プログラム等を記録する。
【００２７】
システム制御部５０は、デジタルカメラ１００全体を制御する。システムメモリ５２は、システム制御部５０の動作用の定数、変数、不揮発性メモリ５６から読み出したプログラム等を展開する。
【００２８】
第１シャッタースイッチＳＷ１（６２）、第２シャッタースイッチＳＷ２（６４）、操作部７０は、システム制御部５０に各種の動作指示を入力するための操作手段である。
【００２９】
モード切替スイッチ６０は、システム制御部５０の動作モードを静止画モード、動画記録モード、再生モード等のいずれかに切り替えることができる。
【００３０】
第１シャッタースイッチＳＷ１（６２）は、デジタルカメラ１００に設けられたシャッターボタンの操作途中（半押し）でオンとなり、ＡＦ処理、ＡＥ処理、ＡＷＢ処理、ＥＦ処理等の動作開始を指示する。
【００３１】
第２シャッタースイッチＳＷ２（６４）は、シャッターボタンの操作完了（全押し）でオンとなり、撮像部２２からの信号読み出しから記録媒体２００に画像データを書き込むまでの一連の撮像処理の動作開始を指示する。
【００３２】
操作部７０の各操作部材は、表示部２８に表示される種々の機能アイコンを選択操作すること等により、場面ごとに適宜機能が割り当てられ、各種機能ボタンとして作用する。
【００３３】
機能ボタンとしては、例えば、終了ボタン、戻るボタン、画像送りボタン、ジャンプボタン、絞込みボタン、属性変更ボタン等がある。例えば、メニューボタンが押されると各種設定が可能なメニュー画面が画像表示部２８に表示される。利用者は、画像表示部２８に表示されたメニュー画面と、４方向キーやＳＥＴボタンとを用いて直感的に各種設定を行うことができる。
【００３４】
電源スイッチ７２は、電源オン、電源オフを切り替える。電源制御部３９は、電池検知回路、ＤＣ−ＤＣコンバータ、通電するブロックを切り替えるスイッチ回路等により構成され、電池の装着の有無、電池の種類、電池残量の検知を行う。
【００３５】
また、電源制御部３９は、検知結果及びシステム制御回路の指示に基づいてＤＣ−ＤＣコンバータを制御し、必要な電圧を必要な期間、記録媒体２００を含む各部へ供給する。
【００３６】
電源部３０は、アルカリ電池やリチウム電池等の一次電池やＮｉＣｄ電池やＮｉＭＨ電池、Ｌｉ電池等の二次電池、ＡＣアダプタ等からなる。コネクタ３３及び３４は、電源部３０と電源制御部３９とを接続する。
【００３７】
ＲＴＣ（Ｒｅａｌ  Ｔｉｍｅ  Ｃｌｏｃｋ）４０は、電源制御部３９とは別に内部に電源部を保持し、電源部３０が落ちた状態であっても、時計動作状態を続けている。システム制御部５０は、起動時にＲＴＣ４０より取得した日時を用いてタイマ制御する。
【００３８】
コネクタ３５は、記録媒体２００とインターフェース１８とを接続する。記録媒体着脱検知部９８は、コネクタ３５に記録媒体２００が装着されているか否かを検知する。
【００３９】
記録媒体２００は、半導体メモリや磁気ディスク等から構成される記録部１９、デジタルカメラ１００とのインターフェース（Ｉ／Ｆ）３７、及び、記録媒体２００とデジタルカメラ１００とを接続するためのコネクタ３６を備えている。
【００４０】
通信部２１は、ＲＳ２３２ＣやＵＳＢ、ＩＥＥＥ１３９４、Ｐ１２８４、ＳＣＳＩ、モデム、ＬＡＮ、無線通信等の各種通信処理を行う。
【００４１】
コネクタ（無線通信の場合はアンテナ）１７は、通信部２１を介してデジタルカメラ１００を他の機器と接続する。
【００４２】
図３は、図１のデジタルカメラの正面図、図４は、図１のデジタルカメラの背面図、図５は、図１のデジタルカメラの右側面図、図６は、図１のデジタルカメラの左側面図、図７は、図１のデジタルカメラの上面図、図８は、図１のデジタルカメラの底面図である。
【００４３】
デジタルカメラは、撮影光学系を構成している鏡筒１０１、前カバー１０２、背面カバー１０３を備える。
【００４４】
コネクタカバー１０４は、各種外部デバイスに接続するために、プリント基板上に実装された端子類を保護する。本実施の形態では、テレビ受信機等の外部映像デバイスに接続するためのアナログビデオ端子、外部直流電源に接続するための電源端子、ＰＣ等に接続するためのデジタル端子のうち少なくとも１つを備えるものとする。
【００４５】
また、デジタルカメラは、ストロボ１０５、ＡＦ補助光窓１０６、撮影画像の確認・再生、撮影条件等の各種情報を表示するための液晶表示装置１０７、操作ボタン群１０８を備える。操作ボタン群１０８は、中央のボタンと周囲のボタンから構成されており、撮影時や画像再生時に各種設定をする際に使用する。
【００４６】
ストラップ穴１０９はねストラップを通すためのものである。レリーズボタン１１０は、撮影準備及び撮影開始機能を備えた操作部材である。ズームレバー１１１は、光学式変倍機能或いはデジタル式変倍機能において、その倍率を調節操作するためのものであり、レリーズボタン１１０の中心に対し所定の角度まで回動可能である。
【００４７】
パワーボタン１１２は、カメラ本体（デジタルカメラ）の電源のオン／オフを行う。モードダイヤル１１３は、各種撮影モードを選択する。電池蓋１１４は、カメラ本体に対しスライド及び回動動作が可能である。
【００４８】
電池蓋ロックレバー１１５は、電池蓋１１４の不用意なスライドを抑止するためのものであり、本実施の形態においては、常にカメラ後方側へ付勢部材により付勢されている。電池蓋ロックレバー１１５を、カメラ前方側へスライド操作することにより、電池蓋１１４のスライド動作が許可される構造となっている。三脚穴１１６は、デジタルカメラを三脚台に固定するために備えられている。
【００４９】
次に、電池蓋１１４をカメラ本体に対してスライド、及び回動させて開閉する構成について説明する。
【００５０】
図９は、図１のデジタルカメラにおいて、図８における電池蓋が閉じている状態の斜視図である。図１０は、図１のデジタルカメラにおいて、図８における電池蓋を矢印Ｂの方向にスライドさせた状態の斜視図である。図１１は、図１のデジタルカメラにおいて、図８における電池蓋を図１０の状態から更に矢印Ｃの方向に回動させた状態の斜視図である。
【００５１】
電池蓋１１４は、図９の状態では、電池蓋１１４の爪１１４ａ（図１２）がカメラ本体の前カバー１０２に形成された係止爪１０２ａ（図１１）、及び電池ボックス１１８（図１１）に形成された係止爪１１８ａ（図１１）に対して引っかかっている。これにより、電池蓋１１４は、矢印Ｃの方向への回転を規制するように保持されている。
【００５２】
また、電池蓋ロックレバー１１５は、図示されていない付勢バネによって矢印Ａとは逆方向に押圧された状態で保持されている。
【００５３】
この状態から、電池蓋ロックレバー１１５を、図９の矢印Ａの方向にスライドさせると、電池蓋１１４は、図１０の矢印Ｂの方向への移動を規制していた係止部の係止を解除し、電池蓋１１４の爪１１４ａが前カバー１０２の係止爪１０２ａ及び電池ボックス１１８の係止爪１１８ａから外れる位置までスライド移動が可能となる。
【００５４】
矢印Ｂの方向へスライドした電池蓋１１４は、図１１に示すように、トーションバネ１１７によって矢印Ｃの方向へと回動され、カメラ本体に対して開いた状態となる。
【００５５】
図１２は、図１における電池蓋ユニットの構成図であり、（ａ）は上面図、（ｂ）は断面図である。図１３は、図１のデジタルカメラにおいて電池蓋ユニット外した状態の斜視図である。
【００５６】
回転軸１２０は、電池蓋１１４が回動するときの軸である。電池接片１２１は、電池蓋１１４が閉じられた状態で、電池ボックス１１８内に収納された電池の電極に接触してカメラ本体へ電源を供給する。
【００５７】
インナープレート１１９は、電池接片１２１を熱かしめ等の方法で保持する。スライドプレート１２２は、回転軸１２０に対して回動可能に保持され、電池蓋１１４及びインナープレート１１９に挟まれるように構成される。そして、スライドプレート１２２は、電池蓋１１４がスライドする際のガイドとなる。
【００５８】
図１２（ｂ）に示すように、トーションバネ１１７は、一方の腕の曲げ端部を電池蓋ユニット１２６内のスライドプレート１２２の穴に引っ掛けた状態で、上下からインナープレート１１９と電池蓋１１４で挟持され、電池蓋ユニット１２６に対して仮保持される。
【００５９】
図１３に示すように、カメラ本体のメインシャーシ１２３に対して亜鉛ダイキャストで形成された三脚ねじ穴１２５は、締結ビス１２４によって本体下側に固定されている。
【００６０】
次に、図１４〜図１６で電池蓋ユニット１２６に仮保持されたトーションバネ１１７をカメラ本体に対して組み付ける構成について説明する。
【００６１】
図１４は、図１における電池蓋ユニットのメインシャーシへの取り付け前の状態を示す断面図である。図１５は、図１における電池蓋ユニットのメインシャーシへの取り付け後の状態を示す断面図である。図１６は、図１における電池蓋ユニットのメインシャーシへの取り付け後の状態を示す上面図である。
【００６２】
図１４に示すように、三脚ねじ穴１２５は斜面部１２５ａを持ち、電池蓋ユニット１２６に仮保持されたトーションバネ１１７の固定側の腕（他方の端部）を、斜面部１２５ａに沿って（矢印Ｄの方向）移動させると、図１５の組み付け位置で停止する。
【００６３】
このとき、斜面部１２５ａはトーションバネ１１７の固定側の腕を組み付ける際のガイドの役割をしている。更に、組み付け後の状態（図１５）において、トーションバネ１１７の固定側の腕は、バネ圧により三脚ねじ穴１２５の斜面部１２５ａに対して押圧しながら接触している。
【００６４】
また、図１６に示すように、三脚ねじ穴１２５には、トーションバネ１１７の固定部の腕の両側を挟むようにリブ状に形成された溝形状部１２５ｂが形成されている。この溝形状部１２５ｂにより、電池蓋ユニット１２６に仮保持されたトーションバネ１１７を組み付ける際には固定部の腕が幅方向をガイドされる。
【００６５】
更に、組み付け後の状態（図１５、図１６）においても、トーションバネ１１７は、溝形状部１２５ｂに挟まれているため、トーションバネ１１７の固定部の腕は幅方向にずれないように位置決めされる。
【００６６】
本実施の形態では、電池蓋１１４が回転軸１２０を中心に回動する際の付勢手段にトーションバネ１１７を用いる構成において、三脚ねじ穴１２５にバネの先端をガイドする斜面部１２５ａと、バネ先端の幅方向を規制するための溝形状部１２５ｂを形成する。これにより、作業者が工具を用いることなく、容易にバネを組み付けることができる。
【００６７】
また、バネの位置決めを確実に行うことで、電池蓋ユニット１２６内の金属部品とメインシャーシ１２３との確実な導通を保証することができる。
【図面の簡単な説明】
【００６８】
【図１】本発明の実施の形態に係る撮像装置としてのデジタルカメラの要部の斜視図である。
【図２】図１のデジタルカメラのブロック図である。
【図３】図１のデジタルカメラの正面図である。
【図４】図１のデジタルカメラの背面図である。
【図５】図１のデジタルカメラの右側面図である。
【図６】図１のデジタルカメラの左側面図である。
【図７】図１のデジタルカメラの上面図である。
【図８】図１のデジタルカメラの底面図である。
【図９】図１のデジタルカメラにおいて、図８における電池蓋が閉じている状態の斜視図である。
【図１０】図１のデジタルカメラにおいて、図８における電池蓋を矢印Ｂの方向にスライドさせた状態の斜視図である。
【図１１】図１のデジタルカメラにおいて、図８における電池蓋を図１０の状態から更に矢印Ｃの方向に回動させた状態の斜視図である。
【図１２】図１における電池蓋ユニットの構成図である。
【図１３】図１のデジタルカメラにおいて電池蓋ユニット外した状態の斜視図である。
【図１４】図１における電池蓋ユニットのメインシャーシへの取り付け前の状態を示す断面図である。
【図１５】図１における電池蓋ユニットのメインシャーシへの取り付け後の状態を示す断面図である。
【図１６】図１における電池蓋ユニットのメインシャーシへの取り付け後の状態を示す上面図である。
【符号の説明】
【００６９】
１１７        トーションバネ
１２０        回転軸
１２３        メインシャーシ
１２５        三脚ねじ穴
１２５ａ      斜面部
１２５ｂ      溝形状部
１２６        電池蓋ユニット
【図１】
2010044332.tif 000003
【図２】
2010044332.tif 000004
【図３】
2010044332.tif 000005
【図４】
2010044332.tif 000006
【図５】
2010044332.tif 000007
【図６】
2010044332.tif 000008
【図７】
2010044332.tif 000009
【図８】
2010044332.tif 000010
【図９】
2010044332.tif 000011
【図１０】
2010044332.tif 000012
【図１１】
2010044332.tif 000013
【図１２】
2010044332.tif 000014
【図１３】
2010044332.tif 000015
【図１４】
2010044332.tif 000016
【図１５】
2010044332.tif 000017
【図１６】
2010044332.tif 000018